(57)【要約】【課題】機器本体に対して発光部を望ましい位置に調整できる照明器具を提供する。【解決手段】照明器具１０は、天井部１１に取り付けられた機器本体１２と、機器本体の収容空間１３に収容された発光部１５と、発光部を昇降可能な昇降装置１６とを備え、昇降装置で発光部を機器本体の内部に収容するものである。さらに、照明器具１０は、機器本体に第１〜第８のリール部４１〜４８が設けられ、第１〜第８のリール部が第１〜第８の紐体５１〜５８を介して発光部に連結された発光部位置決め手段１８を備えている。この発光部位置決め手段１８は、第１〜第８のリール部で第１〜第８の紐体を巻き取り、引き出し操作することで、発光部の昇降方向に対して略直交する方向に発光部を変位可能とできる。【選択図】図１
2011029105.tif 000002
【特許請求の範囲】
【請求項１】
家屋に取り付けられた機器本体と、前記機器本体の内部に収容された発光部と、前記発光部を昇降可能な昇降装置とを備え、前記昇降装置で前記発光部を前記機器本体の内部に収容する照明器具であって、
前記機器本体に紐体を巻き取り、引き出し可能なリール部が設けられ、前記リール部が前記紐体を介して前記発光部に連結された発光部位置決め手段を備え、
前記発光部位置決め手段は、
前記リール部で前記紐体を巻き取り、引き出し操作することで、前記発光部の昇降方向に対して略直交する方向に前記発光部を変位可能としたことを特徴とする照明器具。
【発明の詳細な説明】
【技術分野】
【０００１】
本発明は、機器本体に昇降装置を備え、この昇降装置で発光部を機器本体まで上昇させて発光部を機器本体内に収容可能な照明器具に関する。
【背景技術】
【０００２】
一般的な照明器具のなかには、天井などに埋設された機器本体の内部に発光部を収容するために昇降装置を備えた埋込照明器具がある（例えば、特許文献１参照）。
例えば図８に示すように、照明器具１００は、天井部１０１などに機器本体１０２が埋設され、機器本体１０２の内部に昇降装置１０３が設けられ、昇降装置１０３の昇降ワイヤー１０４が発光部１０５に連結され、昇降装置１０３の昇降ワイヤー１０４で発光部１０５を機器本体１０２に向けて矢印方向に上昇させて機器本体１０２内に収容させている。
【０００３】
一方、機器本体１０２から発光部１０５を取り外す際には、昇降装置１０３の昇降ワイヤー１０４を繰り出すことにより発光部１０５を機器本体１０２から下降させる。
【先行技術文献】
【特許文献】
【０００４】
【特許文献１】特開２００９−１０５０１９号公報（図１、請求項１）
【発明の概要】
【発明が解決しようとする課題】
【０００５】
ここで、図８に示す昇降装置１０３は、昇降ワイヤー１０４が発光部１０５に連結され、昇降ワイヤー１０４を引き上げることで発光部１０５を機器本体１０２内に収容する装置である。
すなわち、昇降装置１０３は、発光部１０５を昇降ワイヤー１０４で引き上げるもので、発光部１０５を引き上げ方向と略直交する方向に位置決めすることはできない。
【０００６】
このため、例えば図９（Ａ）に示すように、機器本体１０２の側壁１０２ａに対して発光部１０５の側壁１０５ａを均等の間隔に配置することが難しい。
また、昇降ワイヤー１０４の微妙な巻き取り具合により、図９（Ｂ）に示すように、機器本体１０２の側壁１０２ａに対して発光部１０５の側壁１０５ａに歪みが生じることが考えられる。
【０００７】
あるいは、照明器具１００の施工誤差（公差）により、機器本体１０２の内部に発光部１０５を収容した状態で、図８に示すように、発光部１０５が水平方向に対して角度θ分傾斜することが考えられる。
【０００８】
ここで、発光部１０５を引き上げ方向と略直交する方向に位置決めする手段として、図８に示すように、発光部１０５の側壁１０５ａにガイドローラ１０７を設けることが考えられる。
発光部１０５のガイドローラ１０７を、機器本体１０２の側壁１０２ａに沿って移動させることで、発光部１０５を機器本体１０２に対して位置決めすることが可能である。
【０００９】
しかし、発光部１０５の側壁１０５ａにガイドローラ１０７を設けた場合でも、照明器具１００の施工誤差（公差）により、機器本体１０２の内部に発光部１０５を収容した状態で、図８に示すように、発光部１０５が水平方向に対して角度θ分傾斜することが考えられる。
【００１０】
さらに、昇降装置１０３で発光部１０５を矢印方向に引き上げるときに、機器本体１０２の内部に発光部１０５を収容する前に、機器本体１０２の側壁１０２ａに対して発光部１０５の側壁１０５ａが均等の間隔に配置されていない場合や、機器本体１０２の側壁１０２ａに対して発光部１０５の側壁１０５ａに歪み（捩れ）が生じることが考えられる。
【００１１】
このため、機器本体１０２の内部に発光部１０５を収容するとき、機器本体１０２の側壁１０２ａにガイドローラ１０７が干渉して、機器本体１０２の内部に発光部１０５を収容することができないことが考えられる。
【００１２】
本発明は、前述した課題を解決するためになされたものであり、その目的は、機器本体に対して発光部を望ましい位置に調整できる照明器具を提供することにある。
【課題を解決するための手段】
【００１３】
本発明に係る照明器具は、家屋に取り付けられた機器本体と、前記機器本体の内部に収容された発光部と、前記発光部を昇降可能な昇降装置とを備え、前記昇降装置で前記発光部を前記機器本体の内部に収容する照明器具であって、前記機器本体に紐体を巻き取り、引き出し可能なリール部が設けられ、前記リール部が前記紐体を介して前記発光部に連結された発光部位置決め手段を備え、前記発光部位置決め手段は、前記リール部で前記紐体を巻き取り、引き出し操作することで、前記発光部の昇降方向に対して略直交する方向に前記発光部を変位可能としたことを特徴とする。
【００１４】
本発明においては、機器本体にリール部を設け、リール部を紐体を介して発光部に連結する発光部位置決め手段を備えた。
この発光部位置決め手段は、リール部を操作して紐体を巻き取ったり、引き出したりすることで、発光部をその昇降方向と略直交する方向に変位させることができる。
これにより、リール部を操作することで、機器本体に対して発光部を望ましい位置に調整（設置）できる。
【００１５】
具体的には、リール部で紐体の巻き取り、引き出し操作をおこなうことで発光部を昇降方向と略直交する方向に変位させることで、機器本体の側壁に対して発光部の側壁を均等の間隔に調整することや、機器本体の側壁に対する発光部の側壁の歪みを調整できる。
さらには、リール部で紐体の巻き取り、引き出し操作をおこなうことで発光部を昇降方向と略直交する方向に変位させることで、発光部が水平方向に対して傾斜した状態を水平方向に調整できる。
【発明の効果】
【００１６】
本発明の照明器具によれば、機器本体にリール部を設け、リール部を紐体を介して発光部に連結する発光部位置決め手段を備えることで、リール部を操作することにより、機器本体に対して発光部を望ましい位置に調整（設置）できるという効果を有する。
【図面の簡単な説明】
【００１７】
【図１】本発明に係る照明器具を示す側面図
【図２】図１に示した照明器具の底面図
【図３】図１のＡ部拡大図
【図４】図２のＢ部拡大図
【図５】本発明に係る照明器具の発光部を器具本体内に収容する前の状態を示す側面図
【図６】（Ａ）は本発明に係る発光部が機器本体に対して均等の間隔に配置される前の状態を示す底面図、（Ｂ）は本発明に係る発光部が機器本体に対して歪み（捩れ）を調整する前の状態を示す底面図、（Ｃ）は本発明に係る発光部が水平方向に対して傾斜した状態を水平方向に調整する前の状態を示す底面図
【図７】本発明に係るリール部の変形例を示す側面図
【図８】従来の照明器具を示す側面図
【図９】（Ａ）は図６の発光部が機器本体に対して非均等の間隔に配置された状態を示す底面図、（Ｂ）は図６の発光部が機器本体に対して歪んで（捩れて）配置された状態を示す底面図
【発明を実施するための形態】
【００１８】
以下、本発明の複数の実施の形態に係る照明器具について図面を参照して説明する。
【００１９】
（第１実施形態）
第１実施形態に係る照明器具１０について説明する。
図１、図２に示すように、照明器具１０は、天井部（家屋）１１に埋設された機器本体１２と、機器本体１２の収容空間（内部）１３に収容された発光部１５と、発光部１５を昇降可能な昇降装置１６と、発光部１５の昇降方向に対して略直交する方向に発光部１５を変位可能な発光部位置決め手段１８とを備えている。
【００２０】
機器本体１２は、天井部１１に埋設可能に構成され、略矩形状の枠体に形成された第１〜第４の機器本体側壁２１〜２４と、第１〜第４の機器本体側壁２１〜２４の上端部に設けられた頂部２５とを備えている。
この機器本体１２は、第１〜第４の機器本体側壁２１〜２４および頂部２５で機器本体１２の内部に収容空間１３が形成されている。
収容空間１３は、発光部１５を収容可能な空間である。
【００２１】
発光部１５は、機器本体１２の収容空間１３に収容された状態で室内を照射可能に構成され、第１〜第４の発光部側壁３１〜３４を備えている。
第１〜第４の発光部側壁３１〜３４は、略矩形状の枠体に形成されている。
【００２２】
第１発光部側壁３１は、発光部位置決め手段１８を用いることで、第１機器本体側壁２１に対向する位置に所定間隔Ｓ１をおいて配置されている。
また、第２発光部側壁３２は、発光部位置決め手段１８を用いることで、第２機器本体側壁２２に対向する位置に所定間隔Ｓ１をおいて配置されている。
【００２３】
さらに、第３発光部側壁３３は、発光部位置決め手段１８を用いることで、第３機器本体側壁２３に対向する位置に所定間隔Ｓ１をおいて配置されている。
また、第４発光部側壁３４は、発光部位置決め手段１８を用いることで、第４機器本体側壁２４に対向する位置に所定間隔Ｓ１をおいて配置されている。
【００２４】
昇降装置１６は、機器本体１２の頂部２５に設けられた昇降装置本体３６と、昇降装置本体３６に発光部１５を連結する昇降ワイヤー３７（図５参照）とを備えている。
この昇降装置１６は、昇降装置本体３６を操作することにより昇降ワイヤー３７で発光部１５を昇降させることができる。
【００２５】
昇降装置１６で発光部１５を上昇させることで、機器本体１２の収容空間１３に発光部１５を収容できる。
一方、昇降装置１６で発光部１５を下降させることで、機器本体１２の収容空間１３から発光部１５を下方に取り外すことができる。
【００２６】
発光部位置決め手段１８は、機器本体１２に第１〜第８のリール部（リール部）４１〜４８が設けられ、第１〜第８のリール部４１〜４８が第１〜第８の紐体（紐体）５１〜５８を介して発光部１５に連結されている。
第１〜第８のリール部４１〜４８は、図３、図４に示す支軸６１を軸にして回転することで、第１〜第８の紐体５１〜５８をそれぞれ巻き取り、引き出し可能なリールである。
【００２７】
具体的には、第１機器本体側壁２１の両端部近傍２１ａ，２１ｂに第１、第２のリール部４１，４２が取付ブラケット６２（図３、図４参照）を介して設けられている。
そして、第１、第２のリール部４１，４２に第１、第２の紐体５１，５２が巻き付けられ、第１、第２の紐体５１，５２の先端部が第１発光部側壁３１の両端部近傍３１ａ，３１ｂに取付ブラケット６４（図３、図４参照）を介して取り付けられている。
すなわち、第１、第２のリール部４１，４２が第１、第２の紐体５１，５２を介して第１発光部側壁３１の両端部近傍３１ａ，３１ｂに連結されている。
【００２８】
また、第２機器本体側壁２２の両端部近傍２２ａ，２２ｂに第３、第４のリール部４３，４４が取付ブラケット６２（図３、図４参照）を介して設けられている。
そして、第３、第４のリール部４３，４４に第３、第４の紐体５３，５４が巻き付けられ、第３、第４の紐体５３，５４の先端部が第２発光部側壁３２の両端部近傍３２ａ，３２ｂに取付ブラケット６４（図３、図４参照）を介して取り付けられている。
すなわち、第３、第４のリール部４３，４４が第３、第４の紐体５３，５４を介して第２発光部側壁３２の両端部近傍３２ａ，３２ｂに連結されている。
【００２９】
さらに、第３機器本体側壁２３の両端部近傍２３ａ，２３ｂに第５、第６のリール部４５，４６が取付ブラケット６２（図３、図４参照）を介して設けられている。
そして、第５、第６のリール部４５，４６に第５、第６の紐体５５，５６が巻き付けられ、第５、第６の紐体５５，５６の先端部が第３発光部側壁３３の両端部近傍３３ａ，３３ｂに取付ブラケット６４（図３、図４参照）を介して取り付けられている。
すなわち、第５、第６のリール部４５，４６が第５、第６の紐体５５，５６を介して第３発光部側壁３３の両端部近傍３３ａ，３３ｂに連結されている。
【００３０】
加えて、第４機器本体側壁２４の両端部近傍２４ａ，２４ｂに第７、第８のリール部４７，４８が取付ブラケット６２（図３、図４参照）を介して設けられている。
そして、第７、第８のリール部４７，４８に第７、第８の紐体５７，５８が巻き付けられ、第７、第８の紐体５７，５８の先端部が第４発光部側壁３４の両端部近傍３４ａ，３４ｂに取付ブラケット６４（図３、図４参照）を介して取り付けられている。
すなわち、第７、第８のリール部４７，４８が第７、第８の紐体５７，５８を介して第４発光部側壁３４の両端部近傍３４ａ，３４ｂに連結されている。
【００３１】
さらに、発光部位置決め手段１８は、昇降装置１６と連動するように構成されている。
すなわち、発光部位置決め手段１８は、昇降装置１６で発光部１５を上昇させる際に、第１〜第８のリール部４１〜４８で第１〜第８の紐体５１〜５８を巻き取るように連動する。
一方、発光部位置決め手段１８は、昇降装置１６で発光部１５を下降させる際に、第１〜第８のリール部４１〜４８で第１〜第８の紐体５１〜５８を繰り出す（引き出す）ように連動する。
【００３２】
この発光部位置決め手段１８によれば、第１〜第８のリール部４１〜４８を操作して第１〜第８の紐体５１〜５８を巻き取ったり、引き出したりすることで、発光部１５をその昇降方向と略直交する方向に変位させることができる。
これにより、第１〜第８のリール部４１〜４８を操作することで、機器本体１２に対して発光部１５を望ましい位置に調整（設置）できる。
【００３３】
つぎに、機器本体１２の収容空間１３に発光部１５を収容する例を図１、図２、図５および図６に基づいて説明する。
図５に示すように、機器本体１２下方に配置された発光部１５に、昇降装置１６の昇降ワイヤー３７が連結されている。
さらに、図２に示すように、発光部位置決め手段１８の第１〜第８の紐体５１〜５８が発光部１５に連結されている。
この状態から、昇降装置１６を操作して昇降ワイヤー３７で発光部１５を矢印Ａ方向に上昇させる。
【００３４】
昇降装置１６に連動して発光部位置決め手段１８が作動することにより、第１〜第８のリール部４１〜４８で第１〜第８の紐体５１〜５８を巻き取る。
このように、発光部１５の上昇に応じて、第１〜第８のリール部４１〜４８で第１〜第８の紐体５１〜５８を巻き取ることで、第１〜第８の紐体５１〜５８に比較的大きな弛みが生じることを防ぐことができる。
【００３５】
昇降装置１６で発光部１５を矢印Ａ方向に上昇させることで、図１に示すように、機器本体１２の収容空間１３に発光部１５を収容する。
この状態で、第１〜第８の紐体５１〜５８は弛みが生じない状態に第１〜第８のリール部４１〜４８に巻き取られている。
【００３６】
機器本体１２の収容空間１３に発光部１５を収容した後、発光部位置決め手段１８の第１〜第８のリール部４１〜４８で第１〜第８の紐体５１〜５８を巻き取り、引き出し操作して、発光部１５を昇降方向と略直交する方向に変位する。
【００３７】
これにより、図６（Ａ）に示すように、機器本体１２の第１〜第４の機器本体側壁２１〜２４に対して発光部１５の第１〜第４の発光部側壁３１〜３４が非均等の間隔に配置されることを防いで、図２に示すように、機器本体１２の第１〜第４の機器本体側壁２１〜２４に対して発光部１５の第１〜第４の発光部側壁３１〜３４を均等の間隔Ｓ１に調整することができる。
【００３８】
さらに、発光部１５を昇降方向と略直交する方向に変位させることで、図６（Ｂ）に示すように、機器本体１２の第１〜第４の機器本体側壁２１〜２４に対して発光部１５の第１〜第４の発光部側壁３１〜３４に歪み（捩れ）が生じることを防いで、図２に示すように、機器本体１２の第１〜第４の機器本体側壁２１〜２４に対する発光部１５の第１〜第４の発光部側壁３１〜３４の歪み（捩れ）を調整できる。
【００３９】
さらには、発光部１５を昇降方向と略直交する方向に変位させることで、図６（Ｃ）に示すように、発光部１０５が水平方向に対して角度θ１分傾斜することを防いで、図１に示すように、発光部１５が水平方向に対して傾斜した状態を水平方向に調整できる。
【００４０】
（変形例）
第１実施形態の照明器具１０では、機器本体１２に第１〜第８のリール部４１〜４８の支軸６１を鉛直方向に向けて取り付けた例について説明したが、図７に示すように、第１〜第８のリール部４１〜４８の支軸６１を鉛直方向に向けた状態に取り付けることも可能である。
【００４１】
なお、本発明に係る照明器具１０は、前述した実施形態に限定されるものではなく適宜変更、改良などが可能である。
例えば、前記実施形態では、照明器具１０を取り付ける家屋として天井部１１を例示したが、これに限定するものではなく、その他の部位に照明器具１０を取り付けることも可能である。
【００４２】
また、前記実施形態では、機器本体１２に第１〜第８のリール部４１〜４８を設け、第１〜第８のリール部４１〜４８を第１〜第８の紐体５１〜５８を介して発光部１５に連結した例について説明したが、リール部の個数は適宜選択が可能である。
【００４３】
さらに、前記実施形態で使用した天井部１１、機器本体１２、収容空間１３、発光部１５、昇降装置１６、発光部位置決め手段１８、第１〜第８のリール部４１〜４８および第１〜第８の紐体５１〜５８などの形状や構成は例示したものに限定するものではなく適宜変更が可能である。
【符号の説明】
【００４４】
１０  照明器具
１１  天井部（家屋）
１２  機器本体
１３  収容空間（内部）
１５  発光部
１６  昇降装置
１８  発光部位置決め手段
４１〜４８  第１〜第８のリール部（リール部）
５１〜５８  第１〜第８の紐体（紐体）
【図１】
2011029105.tif 000003
【図２】
2011029105.tif 000004
【図３】
2011029105.tif 000005
【図４】
2011029105.tif 000006
【図５】
2011029105.tif 000007
【図６】
2011029105.tif 000008
【図７】
2011029105.tif 000009
【図８】
2011029105.tif 000010
【図９】
2011029105.tif 000011